(57)【要約】【課題】排泄物の漏れを抑制することが可能な吸収性物品を提供する。【解決手段】吸収性物品１は、吸収性本体１Ａと外装体１Ｂとを備えるとともに、前胴回り領域Ｓ１と後胴回り領域Ｓ２と股下領域Ｓ３とを有する。外装体１Ｂには、前胴回り領域Ｓ１において、複数の第１弾性部材７Ａが配置されており、後胴回り領域Ｓ２において、複数の第２弾性部材７Ｂが配置されている。股下領域Ｓ３には、吸収性物品１の着用時において、着用者の両脚の間隔の最も狭い位置に対応する股下最狭部８０が形成されている。股下最狭部８０から複数の第１弾性部材７Ａの内の最も股下最狭部８０側に位置する股下第１弾性部材５Ｆ’までの腹側股下距離Ｌ１１は、股下最狭部８０から複数の第２弾性部材７Ｂの内の最も股下最狭部８０側に位置する股下第２弾性部材５Ｒ’までの背側股下距離Ｌ１２よりも短い。【選択図】図２
2014108273.tif 000002
【特許請求の範囲】
【請求項１】
着用者の肌に接する表面シートと吸収体とを有する吸収性本体と、
着用時において前記吸収性本体よりも着用者の外側に位置する外装体とを備え、
着用者の腹側に配置される前胴回り領域と、着用者の背側に配置される後胴回り領域と、前記前胴回り領域と前記後胴回り領域との間に位置し、着用者の股下に配置される股下領域とを有し、
前記外装体の前記前胴回り領域に設けられる幅方向外側の端部と前記外装体の前記後胴回り領域に設けられる幅方向外側の端部とが接合された一対の係止部が形成されることにより、前記着用者の脚が挿入される一対の脚回り開口部と、前記着用者の胴回りが挿入される胴回り開口部とを有する吸収性物品であって、
前記外装体は、前胴回り領域と、後胴回り領域とにおいて、少なくとも２枚の外装シートを有しており、
前記前胴回り領域には、前記２枚の外装シートの間において、吸収性物品の幅方向に伸縮性を有する複数の第１弾性部材が配置されており、
前記後胴回り領域には、前記２枚の外装シートの間において、吸収性物品の幅方向に伸縮性を有する複数の第２弾性部材が配置されており、
前記股下領域には、前記吸収性物品の着用時において、着用者の両脚の間隔の最も狭い位置に対応する股下最狭部が形成されており、
前記股下最狭部から前記複数の第１弾性部材の内の最も前記股下最狭部側に位置する股下第１弾性部材までの腹側股下距離は、前記股下最狭部から前記複数の第２弾性部材の内の最も前記股下最狭部側に位置する股下第２弾性部材までの背側股下距離よりも短い
ことを特徴とする吸収性物品。
【請求項２】
前記吸収性本体と前記外装体とを接合するための接合部が形成されており、
前記接合部は、
前記前胴回り領域から前記股下領域にわたって形成され、前記股下最狭部よりも前記腹側に位置する前側接合部と、
前記後胴回り領域から前記股下領域にわたって形成され、前記股下最狭部よりも前記背側に位置する後側接合部とを含み、
前記前側接合部と、前記後側接合部とは、吸収性物品の長手方向に離間して配置されており、
前記股下最狭部から前記前側接合部までの前記吸収性物品の長手方向における距離は、前記股下最狭部から前記後側接合部までの前記吸収性物品の長手方向における距離よりも短い
ことを特徴とする請求項１に記載の吸収性物品。
【請求項３】
前記股下領域の腹側における腹側端部では、前記外装体の幅方向外側の端部が、前記前側接合部よりも幅方向外側に位置しており、
前記股下領域の背側における背側端部では、前記外装体の幅方向外側の端部が、前記後側接合部よりも幅方向外側に位置しており、
前記後側接合部から前記外装体の幅方向外側の端部までの幅方向における幅は、前記前側接合部から前記外装体の端部までの幅方向における幅よりも広い
ことを特徴とする請求項２に記載の吸収性物品。
【請求項４】
前記股下第２弾性部材は、前記外装体の前記後胴回り領域の幅方向外側端部から前記幅方向内側に向かって、股下最狭部側に湾曲している
ことを特徴とする請求項１乃至３のいずれか一項に記載の吸収性物品。
【請求項５】
前記外装体は、前胴回り領域と前記股下領域と前記後胴回り領域とにわたって連続している少なくとも１枚の外装シートを含む
ことを特徴とする請求項１乃至４のいずれか一項に記載の吸収性物品。
【発明の詳細な説明】
【技術分野】
【０００１】
本発明は、吸収性物品に関する。
【背景技術】
【０００２】
特許文献１には、着用者の腹側に配置される前胴回り領域と、着用者の背側に配置される後胴回り領域と、前胴回り領域と後胴回り領域との間に位置し、着用者の股下に配置される股下領域とを有するパンツ型の吸収性物品が開示されている。
【０００３】
かかる吸収性物品では、吸収性物品の幅方向に伸縮性を有する複数の弾性部材が設けられている。
【０００４】
また、上述した吸収性物品において、着用者の装着時に着用者の両脚の最も狭くなる位置に対応する股下最狭部を規定した場合、腹側における、股下最狭部から最も股下側に位置する弾性部材までの距離（以下、腹側股下距離）が、背側における、股下最狭部から最も股下側に位置する弾性部材までの距離（以下、背側股下距離）よりも長くなるように、弾性部材が設けられている。
【先行技術文献】
【特許文献】
【０００５】
【特許文献１】特開２０１０−２７９６１２号公報
【発明の概要】
【発明が解決しようとする課題】
【０００６】
ここで、股下最狭部から最も股下側に位置する弾性部材までの部分は、弾性材がないので、弾性部材が配置されている部分と比較して、体に対する密着性が低い。
【０００７】
上述した吸収性物品では、腹側股下距離が、背側股下距離よりも長くなるように構成されていることで、股下最狭部よりも腹側では、身体に対する密着性が低くなる。
【０００８】
これにより、上述の吸収性物品では、身体に対する密着性が低くなるため、着用者の吸収性物品を引き上げても、吸収性物品が垂れ下がりやすく、股下最狭部よりも腹側に位置する尿道口に隙間ができ易い。特に着用者が力の弱い高齢者の場合には、腰回りまで十分に吸収性物品を何度も引き上げることは困難を伴うこともあるため、さらに隙間ができ易い。このような場合には、排泄物である小便が漏れるおそれがあった。
【０００９】
そこで、本発明は、排泄物の漏れを抑制することが可能な吸収性物品を提供することを目的とする。
【課題を解決するための手段】
【００１０】
本発明に係る吸収性物品は、着用者の肌に接する表面シートと吸収体とを有する吸収性本体と、着用時において前記吸収性本体よりも着用者の外側に位置する外装体とを備え、着用者の腹側に配置される前胴回り領域と、着用者の背側に配置される後胴回り領域と、前記前胴回り領域と前記後胴回り領域との間に位置し、着用者の股下に配置される股下領域とを有し、前記外装体の前記前胴回り領域に設けられる幅方向外側の端部と前記外装体の前記後胴回り領域に設けられる幅方向外側の端部とが接合された一対の係止部が形成されることにより、前記着用者の脚が挿入される一対の脚回り開口部と、前記着用者の胴回りが挿入される胴回り開口部とを有する吸収性物品であって、前記外装体は、前胴回り領域と、後胴回り領域とにおいて、少なくとも２枚の外装シートを有しており、前記前胴回り領域には、前記２枚の外装シートの間において、吸収性物品の幅方向に伸縮性を有する複数の第１弾性部材が配置されており、前記後胴回り領域には、前記２枚の外装シートの間において、吸収性物品の幅方向に伸縮性を有する複数の第２弾性部材が配置されており、前記股下領域には、前記吸収性物品の着用時において、着用者の両脚の間隔の最も狭い位置に対応する股下最狭部が形成されており、前記股下最狭部から前記複数の第１弾性部材の内の最も前記股下最狭部側に位置する股下第１弾性部材までの腹側股下距離は、前記股下最狭部から前記複数の第２弾性部材の内の最も前記股下最狭部側に位置する股下第２弾性部材までの背側股下距離よりも短いことを要旨とする。
【発明の効果】
【００１１】
本開示によれば、排泄物の漏れを抑制することが可能な吸収性物品を提供することができる。
【図面の簡単な説明】
【００１２】
【図１】実施の形態１に係る使い捨ておむつの概略斜視図である。
【図２】実施の形態１に係る使い捨ておむつの展開平面図である。
【図３】図２に示すＸ１-Ｘ’１線に沿った使い捨ておむつの幅方向断面図である。
【図４】実施の形態１に係る使い捨ておむつ１の一部拡大展開平面図である。
【発明を実施するための形態】
【００１３】
次に、実施の形態に係る吸収性物品としての使い捨ておむつ１について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれ得る。
【００１４】
まず、図１から図４に基づいて吸収性物品としての使い捨ておむつの全体構成について説明する。図１は、本実施の形態において使い捨ておむつを構成する使い捨ておむつ１の概略斜視図である。図２は、本実施の形態に係る使い捨ておむつ１の展開平面図である。図３は、図２に示すＸ１−Ｘ’１線に沿った使い捨ておむつ１の前後方向断面図である。図４は、本実施の形態に係る使い捨ておむつ１の一部拡大展開平面図である。使い捨ておむつ１は、パンツ型の使い捨ておむつである。
【００１５】
使い捨ておむつ１は、着用者の身体前側と身体後側とに延びる前後方向Ｌと、前後方向Ｌに直交する幅方向Ｗと、着用者に向かう内方向ＩＮ及び内方向と反対側に向かう外方向ＯＵＴを有する厚み方向Ｔと、を有する。
【００１６】
使い捨ておむつ１は、図２に示すように、使い捨ておむつ１の前後方向において、着用者の前胴回りに当てられる前胴回り領域Ｓ１と、着用者の後胴回りに当てられる後胴回り領域Ｓ２と、着用者の股下に当てられ、前胴回り領域Ｓ１と後胴回り領域Ｓ２との間に位置する股下領域Ｓ３と、を有する。
【００１７】
前胴回り領域Ｓ１の幅方向Ｗ外側に位置する前胴回り縁部４が、後胴回り領域Ｓ２の幅方向Ｗの外側に位置する後胴回り縁部６と接合され、かつ前胴回り縁部４’が、後胴回り縁部６’と接合されることによって、使い捨ておむつ１がパンツ型に形成される。パンツ型の使い捨ておむつ１の前胴回り領域Ｓ１及び後胴回り領域Ｓ２には、互いの縁部が接合された一対の係止部１１が形成されており、股下領域Ｓ３は、係止部１１よりも前後方向内側に位置する。
【００１８】
使い捨ておむつ１は、図１に示すように、パンツ型に形成された状態で、着用者の腰回りを囲んで配置される腰回り開口部８と、着用者の脚回りを囲んで配置される一対の脚回り開口部９と、が形成される。
【００１９】
使い捨ておむつ１は、吸収性本体１Ａと、外装体１Ｂとから構成されており、これらは互いに、接着剤や熱融着などによって接合されている。
【００２０】
図２乃至３に示すように、外装体１Ｂは、前胴回り領域Ｓ１と、後胴回り領域Ｓ３とにおいて、少なくとも２枚の外装シートを有している。本実施の形態では、外装体１Ｂは、前胴回り領域Ｓ１に配置される前側外装シート７０Ｆと、後胴回り領域Ｓ２に配置される後側外装シート７０Ｒと、前胴回り領域Ｓ１と股下領域Ｓ３と後胴回り領域Ｓ２とに亘って配置される外装センターシート１００と、を含み、使い捨ておむつ１の外装部分を構成する。外装体１Ｂは、吸収体４０を含む吸収性本体１Ａよりも外方向ＯＵＴに位置し、使い捨ておむつの非肌当接側の面に配置される。
【００２１】
なお、本実施の形態に係る外装体１Ｂでは、股下領域Ｓ３において、外装センターシート１００のみが配置されている場合を例に挙げている。但し、これに限定されるものではない。
【００２２】
前側外装シート７０Ｆは、前胴回り領域Ｓ１に配置されており、使い捨ておむつ１の前側端部において幅方向Ｗに沿った折り目を基点に内方向に折り返されている。前側外装シート７０Ｆの折り返されたシート間には、外装センターシート１００が配置されている。後側外装シート７０Ｒは、後胴回り領域Ｓ２に配置されており、使い捨ておむつの後側端部において幅方向に沿った折り目を基点に内方向に折り返されている。後側外装シート７０Ｒの折り返されたシート間には、外装センターシート１００が配置されている。
【００２３】
前側外装シート７０Ｆ及び後側外装シート７０Ｒは、エアスルー不織布、スパンボンド不織布、ＳＭＳ不織布、防水フィルムなどによって形成できる。本実施の形態に係る前側外装シート７０Ｆ及び後側外装シート７０Ｒは、ポリプロピレンからなる目付２０g/m2のスパンボンド不織布によって形成されている。
【００２４】
外装センターシート１００は、前側外装シート７０Ｆと、後側外装シート７０Ｒとを繋ぐ。よって、前側外装シート７０Ｆ及び後側外装シート７０Ｒが前後方向Ｌに離間する形態において、吸収性本体１Ａがむき出しになることを防止することができる。更に、製造過程において、離間した前側外装シート７０Ｆと後側外装シート７０Ｒとを連結した状態で、脚回り開口部９を形成したり、吸収性本体１Ａと貼り合わせたりすることができる。
【００２５】
外装センターシート１００は、エアスルー不織布、スパンボンド不織布、ＳＭＳ不織布、防水フィルムなどによって形成できる。本実施の形態に係る外装センターシート１００は、ポリプロピレンからなる目付１５g/ m2のＳＭＳ不織布によって形成されている。
【００２６】
吸収性本体１Ａは、表面シート１０、吸収体４０及び吸収体裏面シート３０等を含み、外装体１Ｂよりも着用者側に配置される。吸収性本体１Ａは、レッグサイドギャザー等の部材を含んでいてもよい。
【００２７】
表面シート１０は、着用者の肌に直接的に接し得る肌当接面を形成するシートである。表面シート１０は、吸収体４０よりも肌当接面側に配置される。表面シート１０は、親水性不織布や織物、開口プラスチックフィルム、開口疎水性不織布などの液透過性のシートによって形成されている。本実施の形態に係る表面シート１０は、ポリプロピレンからなる目付２０ｇ/ｍ２の親水性スパンボンド不織布によって形成されている。表面シート１０は、吸収体４０の肌当接側の面よりも幅方向両側に延出し、吸収体の幅方向外側端部を覆って吸収体の非肌当接面側に到達している。
【００２８】
表面シート１０の非肌当接面側には、セカンドシートが設けられていてもよい。セカンドシートを設けることにより、体液の吸収速度を速くすることができ、かつ吸収後における体液の逆戻りを抑制することができる。
【００２９】
吸収体４０は、表面シート１０と、吸収体裏面シート３０との間にホットメルト型接着剤によって接合される。ホットメルト型接着剤は、複合シート及び裏面シートにそれぞれ塗工され、例えば、スパイラル塗工方法により、それぞれ目付5g/m2，8g/m2で塗られる。
【００３０】
吸収体４０は、粉砕パルプや高吸収性ポリマーなどの混合粉体で形成される。平面視にて、吸収体４０の形状は、略砂時計形状である。なお、吸収体４０の形状は、これに限定されるものではない。
【００３１】
本実施の形態では、股下領域Ｓ３には、使い捨ておむつ１の着用時において、着用者の両脚の間隔の最も狭い位置に対応する股下最狭部８０が形成されている。具体的には、股下最狭部８０は、股下領域Ｓ３に位置する外装体１Ｂの幅方向Ｗの最も狭くなる部分を示す。なお、外装体１Ｂの幅方向Ｗの最も狭くなる部分が、前後方向Ｌに所定の長さを有している場合には、股下最狭部８０は、前後方向Ｌにおける所定の長さの中心を股下最狭部８０としてもよい。
【００３２】
外装体１Ｂには、合成ゴムなどの細長い糸ゴムからなる弾性部材が配置されている。具体的に、前胴回り領域Ｓ１には、２枚の外装シートの間において、幅方向Ｗに伸縮性を有する複数の腹側弾性部材７Ａ（第１弾性部材）が配置されている。後胴回り領域Ｓ２には、２枚の外装シートの間において、幅方向Ｗに伸縮性を有する複数の背側弾性部材７Ｂ（第２弾性部材）が配置されている。
【００３３】
より詳細には、前胴回り領域Ｓ１では、前側外装シート７０Ｆと外装センターシート１００との間において、複数の腹側弾性部材７Ａが、幅方向Ｗに対して伸長された状態で接着剤（例えばホットメルト接着剤）によって、接合されている。後胴回り領域Ｓ２でも、後側外装シート７０Ｒと、外装センターシート１００との間において、複数の背側弾性部材７Ｂが、幅方向Ｗに対して伸長された状態で接着剤（例えばホットメルト接着剤）によって、接合されている。
【００３４】
本実施の形態では、複数の腹側弾性部材７Ａは、最も股下最狭部８０側に位置する股下腹側弾性部材５Ｆ’（股下第１弾性部材）を含む。なお、股下腹側弾性部材は、股下最狭部８０を基準として、前後方向Ｌに沿った腹側において、複数の腹側弾性部材７Ａの内の最も股下最狭部８０側に位置する弾性部材である。
【００３５】
本実施の形態では、複数の腹側弾性部材７Ａには、股下最狭部８０側から腹側に向かって、６２０ｄｔｅｘの糸ゴム２本と、７８０ｄｔｅｘの糸ゴム８本と、４７０ｄｔｅｘの糸ゴム４本と、９４０ｄｔｅｘの糸ゴム５本とを適用している。なお、９４０ｄｔｅｘの糸ゴム５本の伸長率は３．４倍であり、他の糸ゴムの伸長率は２．１倍である。なお、腹側弾性部材７Ａは、全て幅方向Ｗに沿って配置されている。
【００３６】
また、複数の背側弾性部材７Ｂは、複数の背側弾性部材７Ｂの内の最も股下最狭部８０側に位置する股下背側弾性部材を含む。なお、股下背側弾性部材は、股下最狭部８０を基準として、前後方向Ｌに沿った背側において、複数の背側弾性部材７Ｂの内の最も股下最狭部８０側に位置する弾性部材である。
【００３７】
本実施の形態では、複数の背側弾性部材７Ｂは、後脚回り弾性部材５Ｒと後胴回り弾性部材６Ｒとを含み、後脚回り弾性部材５Ｒの内、最も股下最狭部８０側に位置する後脚回り弾性部材が、股下背側弾性部材５Ｒ’（股下第２弾性部材）を構成する。なお、後胴回り弾性部材６Ｒには、股下最狭部８０側から背側に向かって、７８０ｄｔｅｘの糸ゴム１０本と、９４０ｄｔｅｘの糸ゴム５本とを適用しており、７８０ｄｔｅｘの糸ゴムの伸長率は２．１倍であり、９４０ｄｔｅｘの糸ゴムの伸長率は３．４倍である。また、後胴回り弾性部材６Ｒは、全て幅方向Ｗに沿って配置されている。
【００３８】
また、本実施の形態では、股下最狭部８０から股下腹側弾性部材５Ｆ’までの腹側股下距離Ｌ１１は、股下最狭部８０から股下背側弾性部材５Ｒ’までの背側股下距離Ｌ１２よりも短い。なお、本実施の形態に係る股下領域Ｓ３では、股下最狭部８０基準として、前後方向Ｌの腹側の領域が、前後方向Ｌの背側の領域よりも狭いと言い換えてもよい。
【００３９】
なお、腹側股下距離Ｌ１１と背側股下距離Ｌ１２とは、次のようにして測定することができる。まず、使い捨ておむつ１に設けられる全ての弾性部材を所定部分にて製品をカットすることで、非伸長状態の弾性部材を有する使い捨ておむつ１を生成する。つぎに、図２に示すように、使い捨ておむつ１を展開した状態で、ものさしを用いて腹側股下距離Ｌ１１と背側股下距離Ｌ１２との寸法を測定する。
【００４０】
脚回り開口部９の周囲には、レッグギャザーが設けられる。レッグギャザーは、後胴回り領域Ｓ２に配置された後脚回り弾性部材５Ｒを有する。
【００４１】
後脚回り弾性部材５Ｒは、外装体１Ｂの後胴回り領域Ｓ２の幅方向Ｗ外側の端部である後胴回り縁部６、６’から幅方向Ｗ内側に向かって、股下最狭部８０側に湾曲している。具体的に、後脚回り弾性部材５Ｒは、幅方向に延びる直線状の直線部５２と、直線部５２よりも幅方向両外側に位置し、かつ幅方向内側から幅方向外側に向かって前後方向内側である前側から前後方向外側である後側に延びる曲線状の曲線部５３と、を有する。直線部５２は、胴回り弾性部材に沿って配置されている。曲線部５３は、脚回り開口部９に沿って配置されている。
【００４２】
後脚回り弾性部材５Ｒには、６２０ｄｔｅｘの糸ゴム３本を適用しており、曲線部５３における伸長率は、２．３倍であり、直線部５２おける伸長率は、２．３倍以下になるように設定している。
【００４３】
なお、後脚回り弾性部材５Ｒの曲線部５３の伸長率は、後脚回り弾性部材５Ｒの直線部５２の伸長率よりも高いことが好ましい。具体的には、直線部の伸長率は、１．２〜１．６倍であり、曲線部の伸長率は、２．１〜２．５倍であることが好ましい。
【００４４】
また、本実施の形態における伸長率とは、使い捨ておむつの伸長させた伸長状態における伸長率である。また、伸長率は、例えば、以下の方法によって測定できる。
【００４５】
弾性部材を伸長させた状態で製品を固定し、直線部(インナー幅方向両端部間)及び曲線部(係止の内側から前記インナー幅方向両端部)の寸法を測定する(この寸法をIとする)。前記記載した直線部及び曲線部に印を入れた後、弾性部材部分にて製品をカットする。ホットメルト等の付着物を完全に取り除いた後、ものさしにて非伸長状態の弾性部材を真直ぐに置いた状態で寸法を測定する(この寸法をIIとする)。Ｉ/IIの計算値を伸長率とする。
【００４６】
使い捨ておむつ１では、吸収性本体１Ａと外装体１Ｂとを接合するための接合部９０が形成されている。具体的には、吸収性本体の吸収体裏面シート３０と、外装センターシート１００とが接合されている。本実施の形態では、ホットメルト型接着剤によって接着されている。
【００４７】
接合部９０は、前胴回り領域Ｓ１と股下領域Ｓ３と後胴回り領域Ｓ２とにわたって形成される中央接合部９１と、前胴回り領域Ｓ１から股下領域Ｓ３にわたって形成され、股下最狭部８０よりも腹側に位置する前側接合部９２と、後胴回り領域Ｓ２から股下領域Ｓ３にわたって形成され、股下最狭部８０よりも背側に位置する後側接合部９３とを含む。
【００４８】
前側接合部９２と後側接合部９３とは、中央接合部９１に対して、幅方向Ｗの両外側に一対ずつ設けられている。また、前側接合部９２と、後側接合部９３とは、使い捨ておむつ１の前後方向Ｌ（長手方向）に離間して配置されている。
【００４９】
本実施の形態では、股下最狭部８０から前側接合部９２までの前後方向Ｌにおける距離Ｌ３１は、股下最狭部８０から後側接合部９３までの前後方向Ｌにおける距離Ｌ３２よりも短い。一例として、距離Ｌ３１が６５．３ｍｍに設定され、距離Ｌ３２が１３４．７ｍｍに設定されている。
【００５０】
また、図３乃至４に示すように、股下領域Ｓ３の前後方向Ｌの腹側における腹側端部Ｓ３Ｆでは、外装体１Ｂの幅方向Ｗ外側の端部１Ｂ’が、前側接合部よりも幅方向外側に位置している。同様に、股下領域Ｓ３の前後方向Ｌの背側における背側端部Ｓ３Ｒでは、外装体１Ｂの幅方向Ｗ外側の端部１Ｂ’が、後側接合部よりも幅方向外側に位置している。
【００５１】
また、後側接合部９３から外装体１Ｂの幅方向Ｗ外側の端部１Ｂ’までの幅方向Ｗにおける幅ＬＢは、前側接合部９２から外装体１Ｂの幅方向Ｗ外側の端部１Ｂ’までの幅方向Ｗにおける幅ＬＡよりも広い。
【００５２】
（作用及び効果）
本実施の形態に係る使い捨ておむつ１によれば、股下最狭部８０から股下腹側弾性部材５Ｆ’までの腹側股下距離Ｌ１１は、股下最狭部８０から股下背側弾性部材５Ｒ’までの背側股下距離Ｌ１２よりも短いため、股下最狭部８０よりも腹側においては、身体に対する密着性が高められる。具体的には、着用者の使い捨ておむつ１が垂れ下がりにくくなるため、股下最狭部８０の腹側に位置する着用者の尿道口に対する密着性を高めることができるので、排泄物である小便の漏れを抑制することが可能になる。
【００５３】
このように、本実施の形態に係る使い捨ておむつ１によれば、使い捨ておむつ１の腹側において、排泄物である小便の漏れを抑制できる。
【００５４】
更に、本実施の形態に係る使い捨ておむつ１では、腹側股下距離Ｌ１１は、背側股下距離Ｌ１２よりも短い。言い換えると、背側股下距離Ｌ１２は、腹側股下距離Ｌ１１よりも長いため、股下最狭部８０よりも背側においては、身体に対する密着性の低い領域をより広く形成できる。この結果、股下最狭部８０の背側に位置する着用者の肛門付近に対する密着性を抑制することも可能であるため、使い捨ておむつ１と着用者との間に空間が形成されやすくなる。これにより、排泄物である大便の許容量を高めることができるので、例えば、大便が大量に排泄される場合であっても、大便の漏れを抑制することが可能になる。
【００５５】
股下最狭部８０から前側接合部９２までの前後方向Ｌにおける距離Ｌ３１は、股下最狭部８０から後側接合部９３までの前後方向Ｌにおける距離Ｌ３２よりも短い。
【００５６】
ここで、接合部９０は、外装体１Ｂが吸収性本体１Ａに接合されていることによって、外装体１Ｂが吸収性本体１Ａに接合されていない領域よりも、強度が高い。
【００５７】
本実施の形態に係る使い捨ておむつ１では、股下最狭部８０から前側接合部９２までの距離Ｌ３１は、股下最狭部８０から後側接合部９３までの距離Ｌ３２よりも短いため、股下最狭部８０から腹側に向かって、外装体１Ｂが吸収性本体に接合されていない領域を狭くできる。これにより、股下最狭部８０から腹側に向かって、強度の低い領域を狭くできるので、着用者が装着する際に使い捨ておむつ１を引き上げる力が伝わりやすくなる。よって、例えば、高齢者のように握力の低下した着用者であっても、吸収性物品を引き上げることによって、股下最狭部８０の腹側に位置する尿道口における密着度を容易に高めることができる。
【００５８】
また、後側接合部９３から外装体１Ｂの幅方向Ｗ外側の端部１Ｂ’までの幅方向Ｗにおける幅ＬＢは、前側接合部９２から外装体１Ｂの幅方向Ｗ外側の端部１Ｂ’までの幅方向Ｗにおける幅ＬＡよりも広いため、使い捨ておむつ１の後胴回り領域Ｓ２を引き上げた場合に、股下領域Ｓ３では、股下最狭部８０から背側における力が分散されやすくなる。これにより、使い捨ておむつ１の後胴回り領域Ｓ２を引き上げた場合に、股下最狭部８０から後胴回り領域Ｓ２にわたる領域に破損が発生する可能性を抑制できる。
【００５９】
かかる使い捨ておむつ１では、最も股下最狭部８０側に位置する股下背側弾性部材５Ｒ’は、外装体１Ｂの後胴回り領域Ｓ２の幅方向Ｗ外側の端部である後胴回り縁部６、６’から幅方向Ｗ内側に向かって、股下最狭部８０側に湾曲している。具体的には、股下背側弾性部材５Ｒ’は、幅方向に直線状に延びる直線部５２と、直線部５２よりも幅方向両外側に位置し、かつ幅方向内側から幅方向外側に向かって前後方向内側である前側から前後方向外側である後側に延びる曲線状の曲線部５３とを有する。直線部５２は、胴回り弾性部材に沿って配置され、曲線部５３は、脚回り開口部９に沿って配置されている。よって、股下背側弾性部材５Ｒ’が幅方向に直線状に延びる直線部のみで形成されている場合に比べて、脚繰りから臀部にかけてのふくらみに沿って隙間ができにくい。これにより、着用者の臀部における密着性を高めることができる。
【００６０】
かかる使い捨ておむつ１によれば、外装体１Ｂは、前胴回り領域Ｓ１と股下領域Ｓ３と後胴回り領域Ｓ２とにわたって連続している少なくとも１枚の外装センターシート１００を含む。ここで、例えば、外装体１Ｂは、前胴回り領域Ｓ１と股下領域Ｓ３と後胴回り領域Ｓ２とのそれぞれに分離されたシートを接合することで構成されている場合、接合部分における強度が低下し易い。このような場合、使い捨ておむつ１を引き上げたときに、外装体１Ｂの接合部分において破れ易い。上述した使い捨ておむつ１によれば、前胴回り領域Ｓ１と股下領域Ｓ３と後胴回り領域Ｓ２とにわたって連続している少なくとも１枚の外装センターシート１００を含むため、外装体１Ｂが前胴回り領域Ｓ１と股下領域Ｓ３と後胴回り領域Ｓ２とのそれぞれに分離され手いる場合と比較して、強度が向上する。この結果、使い捨ておむつ１を引き上げたときに外装体１Ｂが破れにくく、かつ、引き上げる力が伝わりやすくなる。
【００６１】
[その他の実施形態]
上述したように、本発明の実施の形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００６２】
例えば、上述した実施の形態では、パンツ型の使い捨ておむつとして説明したが、本発明は、これに限定されるものではなく、ショーツ型ナプキンであってもよい。
【００６３】
なお、上述した使い捨ておむつ１を構成する各部材は、例えば、特開２００６−３４６４３９号公報に記載された材料を用いてもよい。
【００６４】
このように、本発明は、ここでは記載していない様々な実施の形態などを含むことは勿論である。従って、本発明の技術的範囲は、上述の説明から妥当な特許請求の範囲に係る発明特定事項によってのみ定められるものである。
【符号の説明】
【００６５】
Ｌ…前後方向
Ｗ…幅方向
Ｌ１１…腹側股下距離
Ｌ１２…背側股下距離
Ｌ３１…距離
Ｌ３２…距離
ＬＡ…幅
ＬＢ…幅
ＩＮ…内方向
ＯＵＴ…外方向
Ｓ１…領域
Ｓ２…領域
Ｓ３…股下領域
Ｓ３…領域
Ｓ３Ｆ…腹側端部
Ｓ３Ｒ…背側端部
１Ａ…吸収性本体
１Ｂ…外装体
１Ｂ…端部
５Ｆ’…股下腹側弾性部材
５Ｒ…後脚回り弾性部材
５Ｒ’…股下背側弾性部材
６Ｒ…後胴回り弾性部材
７Ａ…腹側弾性部材
７Ｂ…背側弾性部材
８…開口部
９…開口部
１０…表面シート
１１…係止部
３０…吸収体裏面シート
４０…吸収体
５２…直線部
５３…曲線部
７０Ｆ…前側外装シート
７０Ｒ…後側外装シート
８０…股下最狭部
９０…接合部
９１…中央接合部
９２…前側接合部
９３…後側接合部
１００…外装センターシート
【図１】
2014108273.tif 000003
【図２】
2014108273.tif 000004
【図３】
2014108273.tif 000005
【図４】
2014108273.tif 000006